(57)【要約】【課題】  画像処理装置を目的とする動作状態とさせるためにはどのような設定項目にどのような設定変更を行うといった設定の詳細をユーザに意識させる必要なく、設定レベルの指示のみで目的とする動作状態とさせるために必要な設定変更を行うことができるようにする。【解決手段】  クライアントＰＣ１から設定分類の指定と、その設定分類に対する設定レベルの指定とが送信されてくると、ＭＦＰ２の設定項目解析部２４１は、セキュリティデータベースサーバ３に問い合わせる設定項目を確定する。セキュリティデータベースサーバ３から設定項目の設定値を取得すると、ケーパビリティチェックを行い、チェックＯＫであれば、サービス設定管理部２５に設定変更させる。【選択図】  図６
2006253845.tif 000002
【特許請求の範囲】
【請求項１】
操作入力を受ける入力手段と、
設定項目の設定レベルに応じた設定値情報を、当該設定項目および当該設定レベルに関連付けて格納する設定値情報格納手段とを備えると共に、
前記入力手段から設定変更操作、設定変更を行う設定分類、および変更する設定レベルが入力されると、入力された設定分類に関連する設定項目と、設定レベルとに関連付けられて前記設定値情報格納手段に格納された設定値に、当該設定項目の設定を変更する設定変更手段を備えたことを特徴とする画像処理システム。
【請求項２】
前記設定変更手段は、前記設定値情報格納手段に設定値情報の問い合わせを行う設定項目を解析する設定項目解析手段を備え、
前記設定項目解析手段は、該問い合わせを行う設定項目を前記入力手段により入力される設定分類に関連付けて格納する設定項目テーブルを備えたことを特徴とする請求項１記載の画像処理システム。
【請求項３】
前記画像処理システムは、画像処理装置と前記設定値情報格納手段とが接続されて構成され、
前記画像処理装置は、前記設定変更手段を備え、該設定変更手段により当該画像処理装置における設定項目の設定変更を行い、
前記設定項目テーブルは、設定項目を、前記設定分類と、当該画像処理装置におけるアプリケーションが予め定められた対応項目に対応するか否かの対応情報とに関連付けて格納することを特徴とする請求項２記載の画像処理システム。
【請求項４】
前記設定変更手段は、前記設定値情報格納手段に設定値情報の問い合わせを行う設定項目を解析する設定項目解析手段を備え、
前記設定項目解析手段は、該問い合わせを行う設定項目を取得するための取得先を前記入力手段により入力される設定分類に関連付けて格納する取得先テーブルを備えたことを特徴とする請求項１記載の画像処理システム。
【請求項５】
前記画像処理システムは、画像処理装置と前記設定値情報格納手段とが接続されて構成され、
前記画像処理装置は、前記設定変更手段を備え、該設定変更手段により当該画像処理装置における設定項目の設定変更を行い、
前記取得先テーブルは、前記取得先を、前記設定分類と、当該画像処理装置におけるアプリケーションが予め定められた対応項目に対応するか否かの対応情報とに関連付けて格納することを特徴とする請求項４記載の画像処理システム。
【請求項６】
前記設定変更手段は、前記対応情報をアプリケーションから定期的に収集することで、前記入力手段から設定変更操作が入力されて前記設定値情報格納手段に設定値情報の問い合わせを行う設定項目を解析する時、該収集した該対応情報に基づいて該解析を行うことを特徴とする請求項３または５記載の画像処理システム。
【請求項７】
前記設定変更手段は、前記入力手段から設定変更操作が入力されて前記設定値情報格納手段に設定値情報の問い合わせを行う設定項目を解析する時、当該設定変更手段を備える画像処理装置のアプリケーションから前記対応情報を取得することで、該取得した該対応情報に基づいて該解析を行うことを特徴とする請求項３または５記載の画像処理システム。
【請求項８】
前記設定値情報格納手段は、前記設定値情報を画像処理装置に依存しない情報として格納し、
前記画像処理装置は、前記設定値情報格納手段から取得した設定値情報が当該画像処理装置に適用可能か否かを確認する情報確認手段を備えたことを特徴とする請求項３、５から７の何れか１項に記載の画像処理システム。
【請求項９】
画像処理装置における設定項目の設定レベルに応じた設定値情報を、当該設定項目および当該設定レベルに関連付けて格納する設定値情報格納手段に接続されて用いるよう構成された画像処理装置であって、
設定変更操作、設定変更を行う設定分類、および変更する設定レベルが入力されると、入力された設定分類に関連する設定項目と、設定レベルとに関連付けられて前記設定値情報格納手段に格納された設定値に、当該設定項目の設定を変更する設定変更手段を備えたことを特徴とする画像処理装置。
【請求項１０】
前記設定変更手段は、前記設定値情報格納手段に設定値情報の問い合わせを行う設定項目を解析する設定項目解析手段を備え、
前記設定項目解析手段は、該問い合わせを行う設定項目を、前記設定変更操作として入力される設定分類に関連付けて格納する設定項目テーブルを備えたことを特徴とする請求項９記載の画像処理装置。
【請求項１１】
前記設定項目テーブルは、設定項目を、前記設定分類と、前記画像処理装置におけるアプリケーションが予め定められた対応項目に対応するか否かの対応情報とに関連付けて格納することを特徴とする請求項１０記載の画像処理装置。
【請求項１２】
前記設定変更手段は、前記設定値情報格納手段に設定値情報の問い合わせを行う設定項目を解析する設定項目解析手段を備え、
前記設定項目解析手段は、該問い合わせを行う設定項目を取得するための取得先を前記設定変更操作として入力される設定分類に関連付けて格納する取得先テーブルを備えたことを特徴とする請求項９記載の画像処理装置。
【請求項１３】
前記取得先テーブルは、前記取得先を、前記設定分類と、前記画像処理装置におけるアプリケーションが予め定められた対応項目に対応するか否かの対応情報とに関連付けて格納することを特徴とする請求項１２記載の画像処理装置。
【請求項１４】
前記設定変更手段は、前記対応情報をアプリケーションから定期的に収集することで、前記設定変更操作が入力されて前記設定値情報格納手段に設定値情報の問い合わせを行う設定項目を解析する時、該収集した該対応情報に基づいて該解析を行うことを特徴とする請求項１１または１３記載の画像処理装置。
【請求項１５】
前記設定変更手段は、前記設定変更操作が入力されて前記設定値情報格納手段に設定値情報の問い合わせを行う設定項目を解析する時、前記画像処理装置のアプリケーションから前記対応情報を取得することで、該取得した該対応情報に基づいて該解析を行うことを特徴とする請求項１１または１３記載の画像処理装置。
【請求項１６】
前記設定値情報格納手段は、前記設定値情報を画像処理装置に依存しない情報として格納し、
前記画像処理装置は、前記設定値情報格納手段から取得した設定値情報が当該画像処理装置に適用可能か否かを確認する情報確認手段を備えたことを特徴とする請求項９から１５の何れか１項に記載の画像処理装置。
【請求項１７】
画像処理装置における設定項目の設定レベルに応じた設定値情報を、当該設定項目および当該設定レベルに関連付けて格納する設定値情報格納手段に画像処理装置が接続されたシステムにおける設定変更方法であって、
設定変更を行う設定分類、および変更する設定レベルの入力を受ける入力工程と、
入力された設定分類に関連する設定項目および設定レベルに関連付けられて前記設定値情報格納手段に格納された設定値情報を前記画像処理装置が取得する設定値情報取得工程と、
前記設定値情報取得工程で取得された設定値に、該設定項目の設定を変更する設定変更工程とを備えたことを特徴とする設定変更方法。
【請求項１８】
前記設定値情報取得工程では、前記設定値情報格納手段から設定値情報を取得する設定項目を設定項目テーブルに基づいて解析し、
前記設定項目テーブルは、取得する設定項目を前記設定分類に関連付けて格納することを特徴とする請求項１７記載の設定変更方法。
【請求項１９】
前記設定項目テーブルは、設定項目を、前記設定分類と、前記画像処理装置におけるアプリケーションが予め定められた対応項目に対応するか否かの対応情報とに関連付けて格納することを特徴とする請求項１８記載の設定変更方法。
【請求項２０】
前記設定値情報取得工程では、前記設定値情報格納手段から設定値情報を取得する設定項目を取得先テーブルに基づく取得先から取得し、
前記取得先テーブルは、設定項目を取得するための取得先を前記設定分類に関連付けて格納することを特徴とする請求項１７記載の設定変更方法。
【請求項２１】
前記取得先テーブルは、前記取得先を、前記設定分類と、前記画像処理装置におけるアプリケーションが予め定められた対応項目に対応するか否かの対応情報とに関連付けて格納することを特徴とする請求項２０記載の設定変更方法。
【請求項２２】
前記設定値情報格納手段は、前記設定値情報を画像処理装置に依存しない情報として格納し、
前記設定値情報取得工程では、前記設定値情報格納手段から取得した設定値情報が前記画像処理装置に適用可能か否かを確認することを特徴とする請求項１７から２１の何れか１項に記載の設定変更方法。
【請求項２３】
画像処理装置における設定項目の設定レベルに応じた設定値情報を、当該設定項目および当該設定レベルに関連付けて格納する設定値情報格納手段に画像処理装置が接続されたシステムにおける設定変更プログラムであって、
コンピュータに、請求項１７から２２の何れか１項に記載の工程による処理を実行させることを特徴とする設定変更プログラム。
【請求項２４】
請求項２３記載の設定変更プログラムが記録されたことを特徴とする設定変更プログラムを記録した記録媒体。
【発明の詳細な説明】
【技術分野】
【０００１】
本発明は、例えばプリンタ、スキャナ、ＦＡＸ、コピー機、ＭＦＰ（multi-function printer）、など、画像データに各種の処理を行う機能を備えた画像処理システム、画像処理装置、設定変更方法、設定変更プログラム、および該プログラムを記録した記録媒体に関する。
【背景技術】
【０００２】
従来より、画像データに各種の処理を行う機能を備えた画像処理装置では、例えばセキュリティ管理やユーザ認証など、各機能に対して各種の高度な設定を行うことができるものがある。
近年、こうした画像処理装置が普及するに伴い、１つのオフィス内などユーザが移動して各装置を使用しうる範囲内に、ネットワークで接続された画像処理装置が複数存在するといった状態も見られるようになっている。
【０００３】
また、本出願人により先に出願されている特許文献１のものでは、ＷＷＷブラウザの操作によって設定情報を変更可能な画像形成装置で、動作中の制御に設定変更が悪影響を与えると判断される場合に設定変更を行わないようにするものである。
【特許文献１】特開２００４−３４８４９９号公報
【発明の開示】
【発明が解決しようとする課題】
【０００４】
しかしながら、画像処理装置が高度化、多機能化するのに伴い、設定項目も増え、各機能における設定内容も高度化する傾向にある。
さらに、機種の新旧やグレードの上下によって、装置の機能や設定内容も異なってくるため、上述した従来の画像処理装置では、目的とする動作状態とさせるための設定をユーザが行うためには、それぞれの画像処理装置の設定項目についてユーザ自身が把握して１つ１つ設定していく必要があり、目的とする動作状態を実現するのが面倒になってしまう虞があった。
【０００５】
また、上述した特許文献１のものは、ネットワークを介した設定変更を不具合なく行うことができるようにする好適なものであるが、設定により目的とする動作状態を実現するための利便性についてまで考慮されたものではなかった。
【０００６】
本発明はこのような状況に鑑みてなされたものであり、画像処理装置を目的とする動作状態とさせるためにはどのような設定項目にどのような設定変更を行うといった設定の詳細をユーザに意識させる必要なく、設定レベルの指示のみで目的とする動作状態とさせるために必要な設定変更を行うことができる画像処理システム、画像処理装置、設定変更方法、設定変更プログラム、および該プログラムを記録した記録媒体を提供することを目的とする。
【課題を解決するための手段】
【０００７】
かかる目的を達成するために、本発明の第１の態様としての画像処理システムは、操作入力を受ける入力手段と、設定項目の設定レベルに応じた設定値情報を、当該設定項目および当該設定レベルに関連付けて格納する設定値情報格納手段とを備えると共に、入力手段から設定変更操作、設定変更を行う設定分類、および変更する設定レベルが入力されると、入力された設定分類に関連する設定項目と、設定レベルとに関連付けられて設定値情報格納手段に格納された設定値に、当該設定項目の設定を変更する設定変更手段を備えたことを特徴とする。
【０００８】
上記した設定変更手段は、設定値情報格納手段に設定値情報の問い合わせを行う設定項目を解析する設定項目解析手段を備え、上記した設定項目解析手段は、該問い合わせを行う設定項目を入力手段により入力される設定分類に関連付けて格納する設定項目テーブルを備えることが好ましい。
【０００９】
上記した画像処理システムは、画像処理装置と設定値情報格納手段とが接続されて構成され、画像処理装置は、設定変更手段を備え、該設定変更手段により当該画像処理装置における設定項目の設定変更を行い、上記した設定項目テーブルは、設定項目を、設定分類と、当該画像処理装置におけるアプリケーションが予め定められた対応項目に対応するか否かの対応情報とに関連付けて格納することが好ましい。
【００１０】
上記した設定変更手段は、設定値情報格納手段に設定値情報の問い合わせを行う設定項目を解析する設定項目解析手段を備え、設定項目解析手段は、該問い合わせを行う設定項目を取得するための取得先を入力手段により入力される設定分類に関連付けて格納する取得先テーブルを備えることであってもよい。
【００１１】
上記した画像処理システムは、画像処理装置と設定値情報格納手段とが接続されて構成され、画像処理装置は、設定変更手段を備え、該設定変更手段により当該画像処理装置における設定項目の設定変更を行い、上記した取得先テーブルは、取得先を、設定分類と、当該画像処理装置におけるアプリケーションが予め定められた対応項目に対応するか否かの対応情報とに関連付けて格納することが好ましい。
【００１２】
上記した設定変更手段は、対応情報をアプリケーションから定期的に収集することで、入力手段から設定変更操作が入力されて設定値情報格納手段に設定値情報の問い合わせを行う設定項目を解析する時、該収集した該対応情報に基づいて該解析を行うことが好ましい。
【００１３】
上記した設定変更手段は、入力手段から設定変更操作が入力されて設定値情報格納手段に設定値情報の問い合わせを行う設定項目を解析する時、当該設定変更手段を備える画像処理装置のアプリケーションから対応情報を取得することで、該取得した該対応情報に基づいて該解析を行うことであってもよい。
【００１４】
上記した設定値情報格納手段は、設定値情報を画像処理装置に依存しない情報として格納し、画像処理装置は、設定値情報格納手段から取得した設定値情報が当該画像処理装置に適用可能か否かを確認する情報確認手段を備えることが好ましい。
【００１５】
また、本発明の第２の態様としての画像処理装置は、画像処理装置における設定項目の設定レベルに応じた設定値情報を、当該設定項目および当該設定レベルに関連付けて格納する設定値情報格納手段に接続されて用いるよう構成された画像処理装置であって、設定変更操作、設定変更を行う設定分類、および変更する設定レベルが入力されると、入力された設定分類に関連する設定項目と、設定レベルとに関連付けられて設定値情報格納手段に格納された設定値に、当該設定項目の設定を変更する設定変更手段を備えたことを特徴とする。
【００１６】
上記した設定変更手段は、設定値情報格納手段に設定値情報の問い合わせを行う設定項目を解析する設定項目解析手段を備え、上記した設定項目解析手段は、該問い合わせを行う設定項目を、設定変更操作として入力される設定分類に関連付けて格納する設定項目テーブルを備えることが好ましい。
【００１７】
上記した設定項目テーブルは、設定項目を、設定分類と、画像処理装置におけるアプリケーションが予め定められた対応項目に対応するか否かの対応情報とに関連付けて格納することが好ましい。
【００１８】
上記した設定変更手段は、設定値情報格納手段に設定値情報の問い合わせを行う設定項目を解析する設定項目解析手段を備え、上記した設定項目解析手段は、該問い合わせを行う設定項目を取得するための取得先を設定変更操作として入力される設定分類に関連付けて格納する取得先テーブルを備えることであってもよい。
【００１９】
上記した取得先テーブルは、取得先を、設定分類と、画像処理装置におけるアプリケーションが予め定められた対応項目に対応するか否かの対応情報とに関連付けて格納することが好ましい。
【００２０】
上記した設定変更手段は、対応情報をアプリケーションから定期的に収集することで、設定変更操作が入力されて設定値情報格納手段に設定値情報の問い合わせを行う設定項目を解析する時、該収集した該対応情報に基づいて該解析を行うことが好ましい。
【００２１】
上記した設定変更手段は、設定変更操作が入力されて設定値情報格納手段に設定値情報の問い合わせを行う設定項目を解析する時、画像処理装置のアプリケーションから対応情報を取得することで、該取得した該対応情報に基づいて該解析を行うことであってもよい。
【００２２】
上記した設定値情報格納手段は、設定値情報を画像処理装置に依存しない情報として格納し、画像処理装置は、設定値情報格納手段から取得した設定値情報が当該画像処理装置に適用可能か否かを確認する情報確認手段を備えることが好ましい。
【００２３】
また、本発明の第３の態様としての設定変更方法は、画像処理装置における設定項目の設定レベルに応じた設定値情報を、当該設定項目および当該設定レベルに関連付けて格納する設定値情報格納手段に画像処理装置が接続されたシステムにおける設定変更方法であって、設定変更を行う設定分類、および変更する設定レベルの入力を受ける入力工程と、入力された設定分類に関連する設定項目および設定レベルに関連付けられて設定値情報格納手段に格納された設定値情報を画像処理装置が取得する設定値情報取得工程と、設定値情報取得工程で取得された設定値に、該設定項目の設定を変更する設定変更工程とを備えたことを特徴とする。
【００２４】
上記した設定値情報取得工程では、設定値情報格納手段から設定値情報を取得する設定項目を設定項目テーブルに基づいて解析し、設定項目テーブルは、取得する設定項目を設定分類に関連付けて格納することが好ましい。
【００２５】
上記した設定項目テーブルは、設定項目を、設定分類と、画像処理装置におけるアプリケーションが予め定められた対応項目に対応するか否かの対応情報とに関連付けて格納することが好ましい。
【００２６】
上記した設定値情報取得工程では、設定値情報格納手段から設定値情報を取得する設定項目を取得先テーブルに基づく取得先から取得し、取得先テーブルは、設定項目を取得するための取得先を設定分類に関連付けて格納することであってもよい。
【００２７】
上記した取得先テーブルは、取得先を、設定分類と、画像処理装置におけるアプリケーションが予め定められた対応項目に対応するか否かの対応情報とに関連付けて格納することが好ましい。
【００２８】
上記した設定値情報格納手段は、設定値情報を画像処理装置に依存しない情報として格納し、上記した設定値情報取得工程では、設定値情報格納手段から取得した設定値情報が画像処理装置に適用可能か否かを確認することが好ましい。
【００２９】
また、本発明の第４の態様としての設定変更プログラムは、画像処理装置における設定項目の設定レベルに応じた設定値情報を、当該設定項目および当該設定レベルに関連付けて格納する設定値情報格納手段に画像処理装置が接続されたシステムにおける設定変更プログラムであって、コンピュータに、上述した第３の態様としての設定変更方法に記載の工程による処理を実行させることを特徴とする。
【００３０】
また、本発明の第５の態様としての設定変更プログラムを記録した記録媒体は、上述した第４の態様としての設定変更プログラムが記録されたことを特徴とする。
【発明の効果】
【００３１】
以上のように、本発明によれば、画像処理装置を目的とする動作状態とさせるためにはどのような設定項目にどのような設定変更を行うといった設定の詳細をユーザに意識させる必要なく、設定レベルの指示のみで目的とする動作状態とさせるために必要な設定変更を行うことができる。
【発明を実施するための最良の形態】
【００３２】
次に、本発明に係る画像処理システム、画像処理装置、設定変更方法、設定変更プログラム、および該プログラムを記録した記録媒体を適用した一実施形態について、図面を用いて詳細に説明する。
以下の各実施形態では、画像処理装置を複合機であるＭＦＰに適用したものについて説明する。
【００３３】
〔第１の実施形態〕
本発明の第１の実施形態としての画像処理システムは、図１に示すように、クライアントＰＣ１と、ＭＦＰ２と、セキュリティデータベースサーバ３とが、ネットワークＮを介して接続されて構成される。
【００３４】
クライアントＰＣ１は、不図示の制御部、記憶部、表示部、入力部、ネットワークＩ／Ｆ（インタフェース）といったＰＣ（Personal Computer）として公知の構成を備え、本実施形態としての機能を実現するプログラムが実装されることにより、ネットワークＮを介してＭＦＰ２への操作入力を行う機能を実現している。
【００３５】
セキュリティデータベースサーバ３は、不図示の制御部、記憶部、ネットワークＩ／Ｆといったサーバ装置として公知の構成を備え、ネットワークＮに接続された各装置に適用するためのセキュリティポリシーをまとめたセキュリティポリシーＤＢ（データベース）３１を格納する。
このセキュリティポリシーＤＢ３１は、機器に依存しないセキュリティポリシーとして格納され、このことにより、本画像処理システムにおけるセキュリティポリシーを、システムの管理者が一括して管理、変更など行うことができるようになっている。
【００３６】
ＭＦＰ２は、不図示のスキャナ部、印字部といった複合機として公知の構成を備え、例えば画像の読み取り、読み取り画像のＦＡＸ送信、受信した画像データの印字出力、電子メール送受信、コピーといった各種機能を実現している。
このため、ＭＦＰ２は、プログラム構成として、スキャナ、ＦＡＸ、コピーといった各サービスを実現するためのアプリケーション部２１と、各サービスを機能させるためにアプリケーション部２１と機器管理サービス２４との中継を行うＷｅｂサービス機能部２２と、機器管理やジョブ管理などの機能を実現するＳｈａｒｅｄ  Ｆｕｎｃｔｉｏｎ２３と、各サービスの管理を行うための機器管理サービス２４と、各サービスについての設定内容を管理するサービス設定管理部２５と、ネットワーク接続に関する機能を持つＮＣＳ（ネットワークコントロールサービス）２６とを備える。
【００３７】
サービス設定管理部２５は、図１に示す例では、認証に関する機能を持つＣＣＳ（認証コントロールサービス）と、システム全般に関わる設定などについての機能を持つＳＣＳ（システムコントロールサービス）と、ユーザに関する情報を扱う機能を持つＵＣＳ（ユーザ情報コントロールサービス）とを備えることとしている。
ＣＣＳによる設定項目例としては、管理者認証（ユーザ、機器管理、ネットワーク）などがある。
ＳＣＳによる設定項目例としては、セキュリティ強化モードなどがある。
ＵＣＳによる設定項目例としては、アカウント名情報設定などがある。
【００３８】
ＭＦＰ２の各サービスは、動作するに当たってサービス設定管理部２５の設定値を参照し、その設定値に基づいて動作する。
このため、このサービス設定管理部２５の設定値を変更することにより、ＭＦＰ２による各サービスについての設定変更を行うことが可能となる。
【００３９】
機器管理サービス（設定変更手段）２４は、図２に示すように、Ｗｅｂサービス機能部２２を介してクライアントＰＣ１から受けた設定分類から設定変更を行う設定項目を解析する設定項目解析部２４１と、情報確認部２４２と、必要な設定項目の設定値情報などを外部サーバから取得する情報取得部２４３と、各サービスとのＩ／Ｆとして機能するサービス層インタフェース部２４４とを備えて構成され、これらのクラス構成は図３に示すようになっている。
【００４０】
設定項目解析部２４１は、設定項目一覧表（設定項目テーブル）２４１ａを格納し、クライアントＰＣ１からの指示入力による設定変更を実行するために必要な設定項目を、ＭＦＰのバージョン、対応アプリ情報を元に解析する。
【００４１】
情報確認部２４２は、各設定項目のケーパビリティ（有効な値の範囲）が機器固有の情報であるため、セキュリティデータベースサーバ３など外部サーバから取得した機器非依存のデータに対して、機器設定の前にケーパビリティのチェックを行う。すなわち、例えば該当する機能部がそのＭＦＰに存在するか否かなど、設定情報がそのＭＦＰに設定できるのかどうかを確認し、設定不能な項目についてはＮＧとして削除する。
【００４２】
情報取得部２４３は、外部ＤＢのアドレス情報をそのＤＢ名に関連づけて格納した外部ＤＢ一覧表２４３ａを格納することで、そのアドレス情報を参照して外部サーバに対するアクセスを行う。
【００４３】
設定項目一覧表２４１ａは、図４に示すように、クライアントＰＣ１で設定する設定分類の各項目に、アプリ対応と、各アプリ対応における設定項目とが関連づけられて格納される。
図４に示す例では、クライアントＰＣ１による設定分類として「認証」と「セキュリティ」の２つの項目があり、それぞれについてのアプリ対応として「ＤＢ（ドキュメント・ボックス；ファイル記憶手段）」と「外部認証」とが関連づけられている。
【００４４】
このため、設定項目解析部２４１は、ＭＦＰのバージョン情報としてＭＦＰが備えている構成や機能の情報を予め定められた頻度により定期的に収集すると共に、対応アプリ情報としてアプリケーション部２１の各アプリケーションが外部認証に対応しているかどうかの情報を予め定められた頻度により定期的に収集する。
このことにより、設定項目解析部２４１は、情報収集を行った時点でのＭＦＰがＤＢを備えた構成であるかどうか、例えばＵＳＢ接続の指紋認証装置など外部認証を行う機器を接続可能な構成であるかどうか、アプリケーション部２１の各アプリケーションがそうしたＤＢや外部認証を行う機器に対応しているかどうか、といったことを判別し、ＭＦＰ２の状態を表す情報として格納する。
【００４５】
設定項目一覧表２４１ａの設定項目の欄には、クライアントＰＣ１からの設定変更指示がなされた場合に各設定項目について設定変更を行う可能性があるかどうかの情報が格納されている。設定変更を行う可能性がある設定項目については、その設定項目についてどのように設定するかをセキュリティデータベースサーバ３に問い合わせることで設定変更を行う。図４に示す例では、クライアントＰＣ１から送信された設定分類が「認証」であり、ＭＦＰ２のアプリ対応として「ＤＢ」、「外部認証」両方に対応していると判別された場合について示している。
設定変更を行う可能性がない項目は、セキュリティデータベースサーバ３に問い合わせる必要のない項目であり、換言すれば全てのユーザが自由に使用可能であるか、またはその項目に該当する機能がＭＦＰ２に備わっていないかである。
【００４６】
セキュリティデータベースサーバ３は、上述した設定項目一覧表２４１ａに基づいて設定変更を行う可能性がある各設定項目についての問い合わせを受けた場合に、セキュリティポリシーＤＢ３１を参照して、問い合わせを受けた設定項目をどのような値に設定するかの情報を返信する。
このため、セキュリティポリシーＤＢ３１は、各設定項目に、設定されるレベル毎の設定内容が関連づけられて構成される。
【００４７】
図５に示す例では、図４に示す設定項目一覧表２４１ａの各設定項目の内、管理者認証の項目についての設定内容の関連付け例を示している。
この図５に示すように、セキュリティポリシーＤＢ３１は、例えば管理者認証の項目における４種の管理者の権限について、どの項目について管理者認証を行うか、換言すればログインしたユーザに４つの内の何れかの管理者としての権限が与えられている場合のみ操作可能とさせる項目をどれにするかという情報を格納する。
【００４８】
この図５に示す例では、管理者認証の有無がＯＦＦになっている項目は全てのユーザが自由にアクセス可能である項目である。
すなわち、ＭＦＰ２では、ログインしたユーザに与えられている権限に応じてアクセス可能となる項目の内容が異なることとなるが、その与えられている権限によりアクセス可能となる項目が設定されるレベルにより決定されることとなり、セキュリティポリシーＤＢ３１は、その設定されるレベル毎の管理者認証が必要な項目についての情報を、各設定項目に関連付けて格納する。
【００４９】
次に、本実施形態としての画像処理システムにおける設定変更動作について、図６のシーケンス図を参照して説明する。
まずユーザは、クライアントＰＣ１の図７に例示するような画面により、設定変更を行う設定分類の指定と、その設定分類に対する設定レベルの指定とを入力部から入力する（ステップＳ１）。
【００５０】
この図７に示す画面例では、ネットワークＮに接続されて使用可能なＭＦＰが複数ある場合を例として、参照ボタンにより指定対象とするＭＦＰを選択することで、指定した１台のＭＦＰのみに設定変更を行わせることができると共に、複数台のＭＦＰを指定することでそれら複数台のＭＦＰに対して同様の設定変更を一度に行わせることもできるようになっている。
【００５１】
また、図７に示す画面例では、上述のようにして指定されたＭＦＰに対して設定変更を行うための設定分類の指定欄と、その設定分類に対するレベル指定欄とが設けられている。図７の例では、設定変更を行う設定分類として「認証」と「セキュリティ」とが選択され、「認証」が「レベルＡ」に、「セキュリティ」が「レベルＢ」に指定された場合を示している。
【００５２】
また、図８に示す画面例は、図７に示す上述した画面例で「認証」の設定分類についての詳細設定を指定し、「管理者認証」を設定分類として指定した場合の例を示すものである。
【００５３】
また、図９に示す画面例は、図７に示す上述した画面例で「認証」の設定分類についての詳細設定を指定し、「ユーザ認証」を設定分類として指定した場合の例を示すものであり、ユーザの所属や認証内容についても詳細に指定可能となっている。
【００５４】
こうしてクライアントＰＣ１から設定分類の指定と、その設定分類に対する設定レベルの指定とが送信されてくると、ＭＦＰ２の設定項目解析部２４１は、予め取得しているＭＦＰのバージョン情報および対応アプリ情報に基づいて設定項目一覧表２４１ａを参照し、セキュリティデータベースサーバ３に問い合わせる設定項目を確定する（ステップＳ２、Ｓ３）。
【００５５】
問い合わせる設定項目のリストが確定すると、設定項目解析部２４１はその設定項目リストと、クライアントＰＣ１から送信された設定レベル情報とを、情報確認部２４２、情報取得部２４３を経由してセキュリティデータベースサーバ３に送信し、設定項目リストのそれぞれの設定項目に対する設定値情報の問い合わせを行う（ステップＳ４、Ｓ５、Ｓ６）。
【００５６】
セキュリティデータベースサーバ３は問い合わせを受けると、セキュリティポリシーＤＢ３１を参照し、設定項目リストのそれぞれの設定項目に対して、送信された設定レベルにおける設定値情報を抽出し、取得結果通知として情報取得部２４３を介して情報確認部２４２に送信する（ステップＳ７、Ｓ８）。
【００５７】
情報確認部２４２は、取得した設定値情報がＭＦＰ２に適用可能なものであるか否かを確認するため、設定値情報を取得した設定項目のリストを、サービス層インタフェース部２４４を介してサービス設定管理部２５に送信し、設定項目リストに含まれる各設定項目について、サービス設定管理部２５により各サービスに対して設定可能な値の範囲（ケーパビリティ）の参照要求を行う（ステップＳ９、Ｓ１０）。
【００５８】
サービス設定管理部２５は、送信された設定項目リストに含まれる各設定項目についての設定可能な値の範囲をケーパビリティリストとして各設定項目に関連付け、サービス層インタフェース部２４４を介して情報確認部２４２に送信する（ステップＳ１１、Ｓ１２）。
【００５９】
ケーパビリティリストとして設定可能な値の範囲が送信されると、情報確認部２４２は、セキュリティデータベースサーバ３から取得した設定値情報とケーパビリティリストとを比較し、セキュリティポリシーＤＢ３１における機器非依存の設定値情報が本ＭＦＰ２における設定可能な値であるかどうかのチェック（ケーパビリティチェック）を行う（ステップＳ１３）。
【００６０】
設定値情報がチェックＯＫであれば、情報確認部２４２は、そのチェックＯＫとなった設定値に設定変更するよう、サービス層インタフェース部２４４を介してサービス設定管理部２５に設定変更要求を送信する（ステップＳ１４、Ｓ１５）。この設定変更要求として、変更する設定項目と、その設定項目に関連付けられた設定値情報とが同時に送信される。
【００６１】
サービス設定管理部２５は、要求された設定変更を行うと設定完了通知を、サービス層インタフェース部２４４を介して情報確認部２４２に送信する（ステップＳ１６、Ｓ１７）。
情報確認部２４２は、この設定完了通知を受けるとクライアントＰＣ１に送信し、クライアントＰＣ１はその設定完了の旨を表示部への表示などによりユーザに通知する（ステップＳ１８）。
【００６２】
次に、上述した本実施形態としての画像処理システムの設定変更動作で、セキュリティポリシーＤＢ３１から取得した設定値情報に、ＭＦＰ２に適用不能なものが含まれていた場合の動作について、図１０のシーケンス図を参照して説明する。
この図１０に示す動作例では、ステップＳ２１からＳ３３までの動作については、上述したステップＳ１からＳ１３までの動作と同様の動作であり、説明を省略する。
【００６３】
上述したステップＳ１３の動作として、情報確認部２４２が設定値情報のチェックを行った際に、セキュリティポリシーＤＢ３１における機器非依存の設定値情報が本ＭＦＰ２における設定可能な値でないと判定された場合、情報確認部２４２は、設定不能な項目が含まれる旨をその項目名と共にクライアントＰＣ１に通知する（ステップＳ３４）。
通知を受けたクライアントＰＣ１は、図１１に例示するような画面により、設定におけるエラーが発生した旨とそのエラーが発生した設定項目名とをユーザに通知する。この場合、ユーザはその設定不能とされた設定項目についてのみ、従来手順による手動で再設定することとなる。
【００６４】
情報確認部２４２は上述したエラー通知をクライアントＰＣ１に送信すると、エラーが発生していない、すなわちチェックＯＫであった他の設定項目について、そのチェックＯＫとなった設定値に設定変更するよう、サービス層インタフェース部２４４を介してサービス設定管理部２５に設定変更要求を送信する（ステップＳ３５、Ｓ３６）。この設定変更要求として、チェックＯＫとなり変更する設定項目と、その設定項目に関連付けられた設定値情報とが同時に送信される。
【００６５】
サービス設定管理部２５は、要求された設定変更を行うと設定完了通知を、サービス層インタフェース部２４４を介して情報確認部２４２に送信する（ステップＳ３７、Ｓ３８）。
情報確認部２４２は、この設定完了通知を受けるとクライアントＰＣ１に送信し、クライアントＰＣ１は、他の設定項目について設定が完了した旨を表示部への表示などによりユーザに通知する（ステップＳ３９）。
【００６６】
以上のように、本発明の第１の実施形態によれば、ユーザが変更したい設定分類を指定して、その設定分類についてのレベルを指定するだけで、ＭＦＰ２における関連する全項目の設定変更を適切に行うことができる。
すなわち、ＭＦＰ２にどのような設定項目があるのか、例えば認証やセキュリティなどのレベルを変更するために具体的に変更しなくてはならない設定項目は何と何であるのか、といったＭＦＰ２についての詳細な設定項目の知識が全くないユーザであっても、換言すれば詳細な設定項目の知識をユーザに全く要求することなく、例えば認証やセキュリティなどの設定分類について、その設定分類の設定レベルを指定するだけでＭＦＰ２がその設定レベルとして動作する状態とするための設定変更に必要な全項目に対する設定変更を行うことができる。
【００６７】
また、変更したい設定項目を詳細設定により指定することもできるため、必要なだけの設定変更を、その必要な変更範囲における設定内容についての知識を必要とすることなく行うことができる。
【００６８】
〔第２の実施形態〕
次に、本発明の第２の実施形態としての画像処理システムについて説明する。この第２の実施形態は、上述した第１の実施形態で、設定項目解析部２４１が設定項目一覧表２４１ａを格納することにより、セキュリティポリシーＤＢ３１から設定値情報を取得する設定項目名を確認する構成であるのに替えて、設定値情報を取得する設定項目名をサービス設定管理部２５に問い合わせる構成としたものである。
上述した第１の実施形態と同様のものについては同符号とし、説明を省略する。
【００６９】
本発明の第２の実施形態としての画像処理システムは、図１２に示すように、クライアントＰＣ１と、ＭＦＰ４と、セキュリティデータベースサーバ３とが、ネットワークＮを介して接続されて構成される。
【００７０】
ＭＦＰ４の設定項目解析部４４１は、対応サービス一覧表（取得先テーブル）４４１ａを格納し、クライアントＰＣ１からの設定変更の指示入力を実行するために必要な設定項目の問い合わせ内容を、ＭＦＰのバージョン、対応アプリ情報を元に解析し、サービス設定管理部２５に問い合わせる。
【００７１】
対応サービス一覧表４４１ａは、図１３に示すように、クライアントＰＣ１で設定する設定分類の各項目に、アプリ対応（アプリケーションが所定の項目に対応するか否かの対応情報）と、各アプリ対応における問い合わせ先のサービス名とが関連づけられて格納される。
図１３に示す例では、クライアントＰＣ１による設定分類として「認証」と「セキュリティ」の２つの項目があり、それぞれについてのアプリ対応として「ＤＢ（ドキュメント・ボックス；ファイル記憶手段）」と「外部認証」とが関連づけられている。
【００７２】
このため、設定項目解析部４４１は、上述した第１の実施形態の設定項目解析部２４１と同様に、ＭＦＰのバージョン情報としてＭＦＰが備えている構成や機能の情報を予め定められた頻度により定期的に収集すると共に、対応アプリ情報としてアプリケーション部２１の各アプリケーションが外部認証に対応しているかどうかの情報を予め定められた頻度により定期的に収集する。
【００７３】
対応サービス一覧表４４１ａの問い合わせサービスの欄には、クライアントＰＣ１からの設定変更指示がなされた場合に、各サービスに問い合わせるための問い合わせ先が格納される。この図１３で問い合わせ不要（×）とされているサービスは、設定変更を行う必要がないか、または設定変更を行う対象となる設定がそのサービスに存在しないかである。
【００７４】
こうして問い合わせ先（○）とされているサービスに問い合わせた結果として得られた設定項目をまとめると、図１４に例示するようになる。図１４は、クライアントＰＣ１から送信された設定分類が「認証」であり、ＭＦＰ４のアプリ対応として「ＤＢ」、「外部認証」両方に対応していると判別された場合の取得結果例について示している。
この図１４に例示する取得結果で設定項目とされている各項目について、設定項目解析部４４１は、どのような設定に設定変更するかをセキュリティデータベースサーバ３に問い合わせることとなる。
【００７５】
次に、本実施形態としての画像処理システムにおける設定変更動作について、図１５のシーケンス図を参照して説明する。
図１５に示す動作例でのステップＳ４１の動作については、第１の実施形態で上述したステップＳ１の動作と同様の動作であり、説明を省略する。
【００７６】
ステップＳ４１によりクライアントＰＣ１から設定分類の指定と、その設定分類に対する設定レベルの指定とが送信されてくると、ＭＦＰ４の設定項目解析部４４１は、予め取得しているＭＦＰのバージョン情報および対応アプリ情報に基づいて対応サービス一覧表４４１ａを参照し、サービス設定管理部２５に問い合わせる際の問い合わせ対象サービス名を確定する（ステップＳ４２、Ｓ４３、Ｓ４４）。
【００７７】
問い合わせる対象となるサービス名が確定すると、設定項目解析部４４１はその問い合わせサービス一覧を、サービス層インタフェース部２４４を介してサービス設定管理部２５に送信し、問い合わせ対象である各サービスにおける設定項目情報の問い合わせを行う（ステップＳ４５、Ｓ４６）。
【００７８】
サービス設定管理部２５は問い合わせを受けると、問い合わせ対象である各サービスにおける設定項目情報を参照し、設定変更に当たってセキュリティデータベースサーバ３に設定値情報の問い合わせを行う設定項目の情報を各サービスについて抽出し、取得結果通知としてサービス層インタフェース部２４４を介して設定項目解析部４４１に送信する（ステップＳ４７、Ｓ４８）。
【００７９】
こうして問い合わせる設定項目の情報を取得すると、設定項目解析部４４１は、図１４の例を参照して上述したような設定項目リストにまとめて問い合わせ設定項目を確定し、その設定項目リストと、クライアントＰＣ１から送信された設定レベル情報とを、情報確認部２４２、情報取得部２４３を経由してセキュリティデータベースサーバ３に送信し、設定項目リストのそれぞれの設定項目に対する設定値情報の問い合わせを行う（ステップＳ４９、Ｓ５０、Ｓ５１）。
【００８０】
こうして設定項目リストがまとめられて以降のステップＳ５２からＳ６３までの動作については、第１の実施形態で上述したステップＳ７からＳ１８までの動作と同様の動作であり、説明を省略する。
また、セキュリティポリシーＤＢ３１から取得した設定値情報に、ＭＦＰ４に適用不能なものが含まれていた場合の動作についても、上述した第１の実施形態と同様に、ステップＳ５８からＳ６３までの動作に替えて、図１０により上述したステップＳ３３からＳ３９と同様の動作となり、説明を省略する。
【００８１】
以上のように、本発明の第２の実施形態によれば、上述した第１の実施形態により得られる効果と同様の効果を得ることができると共に、設定変更のためにセキュリティデータベースサーバ３に設定値情報の問い合わせを行う設定項目名をその都度サービス設定管理部２５に問い合わせるため、ＭＦＰ４に含まれる各サービスにおける構成や設定内容が動的に変更可能な構成であっても、設定変更を行う時点での各サービスの構成や設定内容に基づいて本発明による自動設定変更を行うことができる。
このことにより、本実施形態におけるＭＦＰが、例えば外部から記憶媒体を接続するなど各種の方法により、各サービスのプログラム構成などを動的に変更可能な構成であっても、設定変更を行う時点での各サービスの構成や設定内容に基づいて最適な設定項目に対して本発明による自動設定変更を行うことにより、上述した第１の実施形態により得られる効果と同様の効果を得ることができる。
【００８２】
〔第３の実施形態〕
次に、本発明の第３の実施形態としての画像処理システムについて説明する。この第３の実施形態は、上述した第２の実施形態で、設定項目解析部４４１がＭＦＰのバージョン情報や対応アプリ情報を予め定められた頻度により定期的に収集する構成であるのに替えて、設定変更を行う際にアプリケーション部２１に問い合わせる構成としたものである。
上述した第２の実施形態と同様のものについては同符号とし、説明を省略する。
【００８３】
本発明の第３の実施形態としての画像処理システムは、図１６に示すように、クライアントＰＣ１と、ＭＦＰ５と、セキュリティデータベースサーバ３とが、ネットワークＮを介して接続されて構成される。
【００８４】
ＭＦＰ５の設定項目解析部５４１は、対応サービス一覧表５４１ａを格納し、クライアントＰＣ１からの設定変更の指示入力を実行するため、対応アプリ情報をアプリケーション部２１に問い合わせて取得し、設定変更のために必要な設定項目の問い合わせ内容をＭＦＰのバージョン、取得した対応アプリ情報を元に解析し、サービス設定管理部２５に問い合わせる。
【００８５】
対応サービス一覧表５４１ａは、図１７に示すように、第２の実施形態により上述した対応サービス一覧表４４１ａにおけるアプリ対応が、設定項目解析部４４１による解析に替えて、アプリケーション部２１への問い合わせとなっている。他の部分については第２の実施形態により上述した対応サービス一覧表４４１ａと同様であり、説明を省略する。
【００８６】
設定項目解析部５４１は、ＭＦＰのバージョン情報としてＭＦＰが備えている構成や機能の情報を予め定められた頻度により定期的に収集する。アプリケーション部２１の各アプリケーションが外部認証に対応しているかどうかの対応アプリ情報については、上述のように設定変更を行う際にアプリケーション部２１に問い合わせる。
【００８７】
問い合わせ先（○）とされているサービスに問い合わせた結果として得られた設定項目をまとめると、第２の実施形態での図１４の例を用いて上述した表と同様となり、設定項目とされている各項目について、設定項目解析部５４１は、どのような設定に設定変更するかをセキュリティデータベースサーバ３に問い合わせることとなる。
【００８８】
次に、本実施形態としての画像処理システムにおける設定変更動作について、図１８のシーケンス図を参照して説明する。
図１８に示す動作例でのステップＳ７１の動作については、第２の実施形態で上述したステップＳ４１の動作と同様の動作であり、説明を省略する。
【００８９】
ステップＳ７１によりクライアントＰＣ１から設定分類の指定と、その設定分類に対する設定レベルの指定とが送信されてくると、ＭＦＰ５の設定項目解析部５４１は、予め取得しているＭＦＰのバージョン情報を確認すると共に（ステップＳ７２）、サービス層インタフェース部２４４を介してアプリケーション部２１に、アプリケーション部２１の各アプリケーションがＤＢに対応しているかどうか、外部認証に対応しているかどうかといったアプリ稼働情報の問い合わせを行う（ステップＳ７３、Ｓ７４）。
【００９０】
アプリケーション部２１は問い合わせを受けると、各アプリケーションの稼働状態を参照し、各アプリケーションがＤＢに対応しているかどうか、外部認証に対応しているかどうかの情報を抽出し、アプリ稼働情報としてサービス層インタフェース部２４４を介して設定項目解析部５４１に送信する（ステップＳ７５、Ｓ７６）。
【００９１】
こうしてアプリ稼働情報を取得すると、設定項目解析部５４１は、予め取得しているＭＦＰのバージョン情報およびアプリ稼働情報に基づいて対応サービス一覧表５４１ａを参照し、サービス設定管理部２５に問い合わせる際の問い合わせ対象サービス名を確定する（ステップＳ７７）。
【００９２】
こうして問い合わせる対象となるサービス名が確定すると、以降のステップＳ７８からＳ９６までの動作については、第２の実施形態で上述したステップＳ４５からＳ６３までの動作と同様の動作であり、説明を省略する。
また、セキュリティポリシーＤＢ３１から取得した設定値情報に、ＭＦＰ５に適用不能なものが含まれていた場合の動作についても、上述した第１の実施形態と同様に、ステップＳ９１からＳ９６までの動作に替えて、図１０により上述したステップＳ３３からＳ３９と同様の動作となり、説明を省略する。
【００９３】
以上のように、本発明の第３の実施形態によれば、上述した第２の実施形態により得られる効果と同様の効果を得ることができると共に、本発明による自動設定変更を行うに当たって、まず対応アプリ情報をアプリケーション部２１に問い合わせて取得してから、取得した対応アプリ情報、ＭＦＰのバージョンを元に設定変更のために必要な設定項目の問い合わせ内容を解析し、サービス設定管理部２５への設定項目名の問い合わせを行うため、ＭＦＰ５に含まれる各サービスにおける構成、設定内容、アプリケーションの外部認証などへの対応が動的に変更可能な構成であっても、設定変更を行う時点での各サービスの状態に基づいて本発明による自動設定変更を行うことができる。
このことにより、本実施形態におけるＭＦＰ５が、例えば外部から記憶媒体を接続するなど各種の方法により、各サービスのプログラム構成やアプリケーションの外部認証などへの対応などを動的に変更可能な構成であっても、設定変更を行う時点での各サービスの構成、設定内容、アプリケーションの外部認証などへの対応に基づいて最適な設定項目に対して本発明による自動設定変更を行うことにより、上述した第２の実施形態により得られる効果と同様の効果を得ることができる。
【００９４】
なお、上述した第３の実施形態は、上述した第２の実施形態に対して、アプリケーション部２１に外部認証などへの対応情報（アプリ稼働情報）を問い合わせる動作をさらに加えたものとして説明したが、上述した第１の実施形態に対して組み合わせる構成であっても同様に実現できる。
このことによれば、上述した第１の実施形態により得られる効果と同様の効果を得ることができると共に、ＭＦＰ５に含まれるアプリケーションの外部認証などへの対応が動的に変更可能な構成であっても、設定変更を行う時点でのアプリケーション部２１の状態に基づいて本発明による自動設定変更を行うことができる。
このため、ＭＦＰが、例えば外部から記憶媒体を接続するなど各種の方法により、各アプリケーションの外部認証などへの対応を動的に変更可能な構成であっても、設定変更を行う時点での各アプリケーションの外部認証などへの対応に基づいて最適な設定項目に対して本発明による自動設定変更を行うことにより、上述した第１の実施形態により得られる効果と同様の効果を得ることができる。
【００９５】
〔各実施形態について〕
また、上述した各実施形態は本発明の好適な実施形態であり、本発明はこれに限定されることなく、本発明の技術的思想に基づいて種々変形して実施することが可能である。
例えば、上述した各実施形態では、ユーザによる操作入力やユーザへの通知をクライアントＰＣ１により行うこととして説明したが、入力や通知を行う手段であればこのものに限定されず、例えば各実施形態のＭＦＰが入力手段や表示手段を備え、その入力手段から操作入力を受けたり、その表示手段によりユーザへの通知を行ったりする構成であってもよい。
【００９６】
また、上述した各実施形態としての画像処理システムを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いてよい。
【００９７】
この本発明に係るプログラムによれば、当該プログラムによって制御される画像処理システムに、上述した本発明に係る各実施形態としての画像処理システムにおける各機能を実現させることができる。
【図面の簡単な説明】
【００９８】
【図１】本発明の第１の実施形態としての画像処理システムの構成の概要を示すブロック図である。
【図２】機器管理サービス２４の構造と、その機器管理サービス２４の周囲とのデータの流れを示すブロック図である。
【図３】機器管理サービス２４内のクラス構成を示す図である。
【図４】設定項目一覧表２４１ａの構成例を示す図である。
【図５】セキュリティポリシーＤＢ３１の構成例の一部を示す図である。
【図６】本発明の第１の実施形態における設定変更動作例を示すシーケンス図である。
【図７】設定変更操作の指示画面例を示す図である。
【図８】詳細な設定変更操作の指示画面例を示す図である。
【図９】詳細な設定変更操作の他の指示画面例を示す図である。
【図１０】本発明の第１の実施形態におけるケーパビリティチェックＮＧの場合の設定変更動作例を示すシーケンス図である。
【図１１】設定変更におけるエラー通知画面例を示す図である。
【図１２】本発明の第２の実施形態としての画像処理システムの構成の概要を示すブロック図である。
【図１３】対応サービス一覧表４４１ａの構成例を示す図である。
【図１４】設定項目を各サービスに問い合わせた結果のまとめ例を示す図である。
【図１５】本発明の第２の実施形態における設定変更動作例を示すシーケンス図である。
【図１６】本発明の第３の実施形態としての画像処理システムの構成の概要を示すブロック図である。
【図１７】対応サービス一覧表５４１ａの構成例を示す図である。
【図１８】本発明の第３の実施形態における設定変更動作例を示すシーケンス図である。
【符号の説明】
【００９９】
１    クライアントＰＣ（入力手段の一例）
２    ＭＦＰ（画像処理装置の一例）
２１    アプリケーション部
２２    Ｗｅｂサービス機能部
２３    Ｓｈａｒｅｄ  Ｆｕｎｃｔｉｏｎ
２４    機器管理サービス（設定変更手段の一例）
２４１    設定項目解析部
２４１ａ    設定項目一覧表（設定項目テーブルの一例）
４４１ａ    対応サービス一覧表（取得先テーブルの一例）
２４２    情報確認部
２４３    情報取得部
２４３ａ    外部ＤＢ一覧表
２４４    サービス層インタフェース部（通信インタフェース手段の一例）
２５    サービス設定管理部
２６    ＮＣＳ（ネットワークコントロールサービス）
３    セキュリティデータベースサーバ（設定値情報格納手段の一例）
３１    セキュリティポリシーＤＢ
【図１】
2006253845.tif 000003
【図２】
2006253845.tif 000004
【図３】
2006253845.tif 000005
【図４】
2006253845.tif 000006
【図５】
2006253845.tif 000007
【図６】
2006253845.tif 000008
【図７】
2006253845.tif 000009
【図８】
2006253845.tif 000010
【図９】
2006253845.tif 000011
【図１０】
2006253845.tif 000012
【図１１】
2006253845.tif 000013
【図１２】
2006253845.tif 000014
【図１３】
2006253845.tif 000015
【図１４】
2006253845.tif 000016
【図１５】
2006253845.tif 000017
【図１６】
2006253845.tif 000018
【図１７】
2006253845.tif 000019
【図１８】
2006253845.tif 000020